(57)【要約】【課題】電源投入により自動的に目標照度を設定できる照明制御装置および照明装置を提供する。【解決手段】照明制御装置５は、照明エリア１６の外光による照度を算出する外光レベル算出手段２０と、外光レベル算出手段２０により算出された照明エリア１６の外光による照度が予め設定された基準値以下のときに照明負荷１７を予め設定された第１の基準調光率７０％で点灯させて、このときの照明エリア１６の照度を照明エリア１６の目標照度に設定し、照明エリア１６の外光による照度が予め設定された基準値を超えるときに照明エリア１６の目標照度を非設定する目標照度設定手段２１を具備している。【選択図】図３
2004228051.tif 000002
【特許請求の範囲】
【請求項１】
照明負荷を配設している照明器具が照明する照明エリアの照度を検出する照度センサから当該照度を入力する照度入力手段と；
照明エリアの外光による照度を算出する外光レベル算出手段と；
外光レベル算出手段により算出された照明エリアの外光による照度が予め設定された基準値以下のときに照明負荷を予め設定された第１の基準調光率で点灯させて、このときの照明エリアの照度を照明エリアの目標照度に設定し、照明エリアの外光による照度が予め設定された基準値を超えるときに照明エリアの目標照度を非設定とする目標照度設定手段と；
目標照度設定手段により照明エリアの目標照度が設定されているときに、照明エリアの照度が目標照度となるように照度センサの検出値に応じて照明負荷の調光率を制御するとともに、照明エリアの目標照度が非設定されているときに、照明負荷を予め設定された第２の基準調光率で点灯させるように制御する制御手段と；
を具備していることを特徴とする照明制御装置。
【請求項２】
照明負荷を配設している照明器具が照明する照明エリアの照度を検出する照度センサから当該照度を入力する照度入力手段と；
照明エリアの外光による照度を算出する外光レベル算出手段と；
外光レベル算出手段により算出された照明エリアの外光による照度が予め設定された基準値以下のときに照明負荷を予め設定された第１の基準調光率で点灯させて、このときの照明エリアの照度を照明エリアの目標照度に設定し、照明エリアの外光による照度が予め設定された基準値を超えるときに照明エリアの目標照度を非設定とする目標照度設定手段と；
目標照度設定手段により照明エリアの目標照度が設定されているときに、照明エリアの照度が目標照度となるように照度センサの検出値に応じて照明負荷の調光率を制御するとともに、照明エリアの目標照度が非設定されているときに、照明負荷を予め設定された第２の基準調光率で点灯させるように制御する制御手段と；
照明エリアの外光による照度が基準値以下のときに照明負荷を第１の基準調光率で点灯させて照明エリアの目標照度が設定されているときに、予め設定された所定期間にわたり照明負荷が第１の基準調光率で点灯されることが再現されていないときに、目標照度を解除する目標照度解除手段と；
を具備していることを特徴とする照明制御装置。
【請求項３】
所定期間の計時は、照明負荷が第１の基準調光率で点灯されることが再現されるとリセットされることを特徴とする請求項２記載の照明制御装置。
【請求項４】
所定期間が計時されていることを表示する第１の表示手段を具備していることを特徴とする請求項２または３記載の照明制御装置。
【請求項５】
制御手段は、電源の投入時に照明エリアの目標照度の設定の有無を判別し、目標照度が設定されていると判別したときには、照明エリアの照度が目標照度となるように照度センサの検出値に応じて照明負荷の調光率を制御し、目標照度が非設定であると判別したときには、外光レベル算出手段および目標照度設定手段による目標照度の設定または非設定後に照明負荷の調光率を制御することを特徴とする請求項１ないし４いずれか一記載の照明制御装置。
【請求項６】
外光レベル算出手段は、制御手段に対して照明負荷を２つ以上の異なる調光率で点灯させ、このときの照度入力手段に入力される照明エリアの照度を演算して照明エリアの外光による照度を算出することを特徴とする請求項１ないし５いずれか一記載の照明制御装置。
【請求項７】
第１の基準調光率を選択的に切り換える切換え手段を具備していることを特徴とする請求項１ないし６いずれか一記載の照明制御装置。
【請求項８】
目標照度設定手段は、外部信号により目標照度を解除可能に、または照度入力手段に入力される照度値を目標照度に設定可能に構成されていることを特徴とする請求項１ないし７いずれか一記載の照明制御装置。
【請求項９】
目標照度が非設定である旨を表示する第２の表示手段または目標照度が非設定である旨をワイヤレス送信機へ返信する返信手段を具備していることを特徴とする請求項１ないし８いずれか一記載の照明制御装置。
【請求項１０】
請求項１ないし９いずれか一記載の照明制御装置と；
照明制御装置により調光率が制御される照明負荷が配設され、所定の照明エリアを照明する照明器具と；
照明器具が照明する照明エリアの照度を検出して照明制御装置の照度入力手段に入力する照度センサと；
を具備していることを特徴とする照明装置。
【請求項１１】
照明器具は、照度センサおよび照明制御装置が配設されていることを特徴とする請求項１０記載の照明装置。
【発明の詳細な説明】
【０００１】
【発明の属する技術分野】本発明は、目標照度で照明エリアを照明する照明制御装置および照明装置に関する。
【０００２】
【従来の技術】照度センサを用いて机上面や床面などの被照射面の照度を一定に制御することが行われている。従来、照度センサは、物理上の問題から天井面に設置され、机上面や床面などの反射光を検出している。当該反射光は、被照射面の照度に正の相関関係を有している。そして、リモコン等により、外光による反射光が照度センサに入力しない例えば夜間に被照射面の照度を変化させながら目標照度の設定を行っているので、手間を要していた。そこで、自動的に目標照度を設定することが提案されている（例えば、特許文献１参照。）。
【０００３】
特許文献１は、コントローラが、照明器具の光出力を変化させ、照明器具の光出力の大きいときと小さいときの照度センサの出力電圧の測定値から、照射空間における昼光等の外光による照度と、照明器具の調光制御信号出力１００％時の照度を求めている。そして、照明器具の調光制御信号出力１００％時の照度センサの出力電圧の予め設定された割合、例えば７０％を目標照度とし、照射空間における照度を一定制御している。
【０００４】
【特許文献１】特開平１１−２１４１７９号公報（第４−６頁、第３図）
【０００５】
【発明が解決しようとする課題】特許文献１は、電源の投入後、リモコン等により、ゲイン設定起動の要求があると、目標照度の設定が行われるものである。したがって、人手を要するという欠点を有する。
【０００６】
本発明は、電源投入により自動的に目標照度を設定できる照明制御装置および照明装置を提供することを目的とする。
【０００７】
【課題を解決するための手段】請求項１に記載の照明制御装置の発明は、照明負荷を配設している照明器具が照明する照明エリアの照度を検出する照度センサから当該照度を入力する照度入力手段と；照明エリアの外光による照度を算出する外光レベル算出手段と；外光レベル算出手段により算出された照明エリアの外光による照度が予め設定された基準値以下のときに照明負荷を予め設定された第１の基準調光率で点灯させて、このときの照明エリアの照度を照明エリアの目標照度に設定し、照明エリアの外光による照度が予め設定された基準値を超えるときに照明エリアの目標照度を非設定とする目標照度設定手段と；目標照度設定手段により照明エリアの目標照度が設定されているときに、照明エリアの照度が目標照度となるように照度センサの検出値に応じて照明負荷の調光率を制御するとともに、照明エリアの目標照度が非設定されているときに、照明負荷を予め設定された第２の基準調光率で点灯させるように制御する制御手段と；を具備していることを特徴とする。
【０００８】
本発明および以下の各発明において、特に言及しない限り、各構成は以下による。
【０００９】
照明エリアは、照明器具により照明される領域のうち、必要な照度が得られる領域をいう。
【００１０】
照明エリアの外光による照度は、照明負荷の消灯時における照明エリアの照度である。したがって、外光レベル算出手段は、照明負荷を消灯させて、照度入力手段に入力される照度を演算し、外光による照度としてもよい。
【００１１】
外光レベル算出手段は、演算により外光による照度を求めることに加え、広義的に言えば、外光の照度の抽出あるいは外光の照度の検出を包含するものである。例えば、外光レベル算出手段は、外光のみを検出した光センサから入力した照度を外光による照度としてもよい。
【００１２】
照明負荷の点消灯および調光制御は、制御手段が行うものであり、外光レベル算出手段および目標照度設定手段は、当該要求の信号を制御手段に送出するものである。すなわち、「外光レベル算出手段が照明負荷を点灯させて、または照明負荷を消灯させて」とは、外光レベル算出手段が制御手段に対して照明負荷を点灯または消灯させるものである。
【００１３】
目標照度は、照明負荷を予め設定された第１の基準調光率で点灯させたときの照明エリアの照度であり、照明器具からの照射光による照度に外光による基準値以下の照度が加算された値である。
【００１４】
第１および第２の基準調光率は、それぞれ適宜設定された調光率であればよく、同一の調光率であってもよく、異なる調光率であってもよい。例えば、照明負荷の経時変化による保守率を考慮して、両者は７０％に設定される。ここで、調光率は、照明負荷が全光点灯されるときを１００％、消灯状態のときを０％としている。また、基準調光率の基準は、適宜設定された調光率を特定させるために使用しているものである。
【００１５】
また、「予め設定された基準値」とは、適宜設定された照度値であればよく、外光が無い状態における照明負荷の最大光出力時（調光率１００％時）の照明エリアの照度の１５％を許容する。
【００１６】
照度および照度値は、これに相当する値または電圧を用いてもよい。
【００１７】
制御手段は、目標照度が設定されているとき、外光による照度が目標照度に近づくにしたがい、照明負荷の調光率を減少させて照明負荷の光出力を減少させるように制御するものである。ここで、照明負荷を付勢する点灯装置の調光下限値までは、外光による照度の増加に対して、照明負荷の調光率を減少させるが、照明負荷の調光率が調光下限値に達し、また、さらに外光が増加するときは、この調光下限値で照明負荷を点灯させてもよく、照明負荷を消灯させてもよい。
【００１８】
本発明によれば、照明エリアの外光による照度が予め設定された基準値以下のときに目標照度が自動的に設定され、この目標照度は、照明負荷を予め設定された第１の基準調光率で点灯させたときの照明エリアの照度に設定される。目標照度が自動的に設定されるので、人手がなく省力化される。
【００１９】
請求項２に記載の照明制御装置の発明は、請求項１記載の発明において、照明エリアの外光による照度が基準値以下のときに照明負荷を第１の基準調光率で点灯させて照明エリアの目標照度が設定されているときに、予め設定された所定期間にわたり照明負荷が第１の基準調光率で点灯されることが再現されていないときに、目標照度を解除する目標照度解除手段と；を具備していることを特徴とする。
【００２０】
目標照度設定手段により目標照度が設定された後、照明エリア内に例えば机やＯＡ機器などの機材が搬入されると、照明エリア内が実際に目標照度で照明されていても、例えば天井面に設置された照度センサに入射される反射光が変化し、照度センサの検出値が変化する。制御手段は、照度センサの検出値に応じて照明負荷の調光率を制御するので、照明エリアは、実際の目標照度で照明されなくなる。したがって、照明エリア内に机や機材などが搬入され、照明エリア内の反射光（反射率）が変化したときには、目標照度の再設定をする。
【００２１】
目標照度は、照明負荷を第１の基準調光率で点灯させたときの照明エリアの照度であるので、所定期間、照明負荷が第１の基準調光率で点灯されることが再現されていないと、照明エリア内の反射光が変化した、すなわち照明エリア内の実際の目標照度が変化したとみなすものである。
【００２２】
所定期間は、適正な期間例えば３０〜１００時間に設定されればよく、極端に長期間または短期間であることは望ましくない。すなわち、極端に長期間であると、照明エリア内の反射光の変化（実際の目標照度の変化）を長期間放置するおそれがあり、極端に短期間であると、前記再現を検出し損なうおそれがある。
【００２３】
本発明によれば、照明エリア内の反射光が変化したときに、目標照度解除手段により目標照度が解除され、照明負荷は、第２の基準調光率で点灯される。そして、その後の電源の再投入により、外光レベル算出手段および目標照度設定手段の動作により照明エリアの目標照度が自動的に再設定される。
【００２４】
請求項３に記載の照明制御装置の発明は、請求項２記載の照度制御装置において、所定期間の計時は、照明負荷が第１の基準調光率で点灯されることが再現されるとリセットされることを特徴とする。
【００２５】
本発明によれば、照明負荷が第１の基準調光率で点灯されることが再現されると、所定期間の計時がリセットされるので、継続して、照明エリア内の反射光の変化の有無が検出される。
【００２６】
請求項４に記載の照明制御装置の発明は、請求項２または３記載の照明制御装置において、所定期間が計時されていることを表示する第１の表示手段を具備していることを特徴とする。
【００２７】
本発明によれば、第１の表示手段を目視することにより、照明エリア内の反射光の変化の有無が検出されていることが確認される。
【００２８】
請求項５に記載の照明制御装置の発明は、請求項１ないし４いずれか一記載の照明制御装置において、制御手段は、電源の投入時に照明エリアの目標照度の設定の有無を判別し、目標照度が設定されていると判別したときには、照明エリアの照度が目標照度となるように照度センサの検出値に応じて照明負荷の調光率を制御し、目標照度が非設定であると判別したときには、外光レベル算出手段および目標照度設定手段による目標照度の設定または非設定後に照明負荷の調光率を制御することを特徴とする。
【００２９】
本発明によれば、電源の投入時に照明エリアの目標照度の設定の有無が判別され、目標照度が設定されていないときに外光レベル算出手段および目標照度設定手段による目標照度の設定または非設定が行われるので、電源の投入により、自動的に目標照度が設定される動作が行われる。
【００３０】
請求項６に記載の照明制御装置の発明は、請求項１ないし５いずれか一記載の照度制御装置において、外光レベル算出手段は、制御手段に対して照明負荷を２つ以上の異なる調光率で点灯させ、このときの照度入力手段に入力される照明エリアの照度を演算して照明エリアの外光による照度を算出することを特徴とする。
【００３１】
制御手段が照明負荷を２つ以上の異なる調光率で点灯させ、照度入力手段に入力される照度センサの検出値の変化（電圧変化）により外光による照明エリアの照度が算出される。例えば、照明負荷の光出力が調光率に比例して変化するものであれば、少なくとも２つの一次方程式により外光による照度が算出できる。
【００３２】
本発明によれば、照明負荷を消灯しないで照明エリアの外光による照度を算出するので、当該算出時、照明負荷が消灯されることによる違和感や不快感が防止される。
【００３３】
請求項７に記載の照明制御装置の発明は、請求項１ないし６いずれか一記載の照明制御装置において、第１の基準調光率を選択的に切り換える切換え手段を具備していることを特徴とする。
【００３４】
第１の基準調光率は、照明負荷の保守率などを勘案して通常７０％に設定されるが、クリーンルームなどの明るさを要する場所では８０％、リニューアルした場所や倉庫などでは５０％とすることができる。
【００３５】
本発明によれば、第１の基準調光率を選択的に切り換えることにより、照明エリアの環境に応じた目標照度が最適に設定される。
【００３６】
請求項８に記載の照明制御装置の発明は、請求項１ないし７いずれか一記載の照明制御装置において、目標照度設定手段は、外部信号により目標照度を解除可能に、または照度入力手段に入力される照度値を目標照度に設定可能に構成されていることを特徴とする。
【００３７】
請求項２記載の目標照度解除手段が目標照度を解除する前に、外部信号により目標照度を解除してもよい。
【００３８】
外部信号により設定された目標照度を解除することにより、照明エリアの照度を任意の照度（任意の目標照度）にさせることが可能である。また、電源の再投入により、自動的に新たに目標照度が設定される。
【００３９】
目標照度は、外光が基準値以下、好ましくは夜間などの外光が照明エリア内にほとんど入射しないときに設定されることが好ましいが、定期的にあるいは室内の配置換え等に応じて設定するようにしてもよい。また、外光が基準値または基準値近傍のときに目標照度が設定されたときに対して、外光が低レベルまたはほとんど無い状態のときに、目標照度を設定するようにしてもよい。
【００４０】
本発明によれば、外部信号により設定された目標照度を解除することにより、照明エリアを任意の照度とすることが可能であり、電源の再投入により、自動的に新たな目標照度が設定可能である。また、外部信号により照度入力手段に入力される照度値が目標照度に設定可能であるので、照明負荷の調光率（光出力）を変化させて照明エリアの照度を最適にすることにより、最適な目標照度に設定可能である。
【００４１】
請求項９に記載の照明制御装置の発明は、請求項１ないし８いずれか一記載の照明制御装置において、目標照度が非設定である旨を表示する第２の表示手段または目標照度が非設定である旨をワイヤレス送信機へ返信する返信手段を具備していることを特徴とする。
【００４２】
本発明によれば、第２の表示手段または返信手段により、目標照度が設定されていない状態であり、照明負荷が予め設定された第２の基準調光率で点灯されていることが認識される。
【００４３】
請求項１０に記載の照明装置の発明は、請求項１ないし９いずれか一記載の照明制御装置と；照明制御装置により光出力が制御される照明負荷が配設され、所定の照明エリアを照明する照明器具と；照明器具が照明する照明エリアの照度を検出して照明制御装置の照度入力手段に入力する照度センサと；を具備していることを特徴とする。
【００４４】
本発明によれば、電源の投入により自動的に、または外部信号により強制的に照明エリアの目標照度が設定可能であり、この目標照度によって照明エリアが一定に照明される照明装置が提供される。
【００４５】
請求項１１に記載の照明装置の発明は、請求項１０記載の照明装置において、照明器具は、照度センサおよび照明制御装置が配設されていることを特徴とする。
【００４６】
照明エリアを照明する複数の照明器具のうち、少なくともひとつに照度センサおよび照明制御装置を配設していればよい。
【００４７】
本発明によれば、照明器具は、照度センサおよび照明制御装置が配設されているので、天井等の造営物に照度センサおよび照明制御装置を設置する手間を要せず、省力化が図れる。
【００４８】
【発明の実施の形態】以下、本発明の一実施の形態について、図面を参照して説明する。まず、本発明の第１の実施形態について説明する。
【００４９】
図１〜図４は、本発明の第１の実施形態を示し、図１は照明装置の概略構成図、図２はセンサ装置の斜視図、図３は照明制御装置のブロック図、図４は照明制御装置の動作のフロー図である。
【００５０】
照明装置１は、図１に示すように、センサ装置２および照明器具３を有して構成され、センサ装置２に照度センサ４および照明制御装置５が一体化されて設けられている。そして、センサ装置２および照明器具３は、天井面６に配置されている。
【００５１】
センサ装置２は、図２に示すように、センサ装置本体７、カバー８および取付ばね９，９等を有して形成されている。そして、カバー８には、外表面８ａに露出するようにして、照度センサ４、人感センサ１０、受信素子１１、送信用ＬＥＤ１２および第２の表示手段としての表示用ＬＥＤ１３などが配設されている。また、センサ装置本体７は、内部に照明制御装置５（図示しない。）を収納し、側面７ａに端子群１４を配設している。端子群１４は、照明制御装置５と照明器具３の点灯装置１５を接続する出力端子などにより形成されている。
【００５２】
照度センサ４は、照明器具３が照明する照明エリア１６内からの反射光により当該照明エリア１６内の照度を間接的に検出し、照明制御装置５に送出するように構成されている。人感センサ１０は、照明エリア１６に近づく人体を検出して照明制御装置５を介して照明負荷としての蛍光ランプ１７を点灯させるものである。
【００５３】
受信素子１１は、ワイヤレス送信機（リモコン）１８から送信される制御信号を受信して照明制御装置５に送出するように構成されている。そして、送信用ＬＥＤ１２は、照明制御装置５から送出された返信信号などをワイヤレス送信機（リモコン）１８に向けて送信するものである。ここで、ワイヤレス送信機１８は、蛍光ランプ１７を点消灯させる点滅信号や調光させる調光信号、目標照度を強制的に設定する外部信号としての設定信号または解除する外部信号としての解除信号などの制御信号を送信するとともに、点灯装置１５の調光下限値や蛍光ランプ１７の調光率の状況、目標照度の設定の有無などの返信信号を受信するように構成されている。
【００５４】
表示用ＬＥＤ１３は、照明制御装置５の制御により、照明エリア１６の目標照度が設定されているときに点灯し、目標照度が設定されていないとき、あるいは目標照度が解除されたときに消灯するものである。この表示用ＬＥＤ１３の点消灯により、目標照度の設定の有無が視認され、認識される。
【００５５】
照明制御装置５は、図３に示すように、照度入力手段としての照度入力部１９、外光レベル算出手段としての外光レベル算出部２０、目標照度設定手段としての目標照度設定部２１、ワイヤレス受信部２２、ワイヤレス送信部２３、外部信号入力部２４、人体検出部２５、記憶部２６、伝送部２７、表示部２８、切換え手段としての第１の基準調光率の切換え部２９、電源部３０および制御手段としての制御部３１を有して構成されている。
【００５６】
照度入力部１９は、照度センサ４に電気接続され、照度センサ４の出力電圧（検出値）を入力して制御部３１に送出するように構成されている。ここで、照度センサ４の出力電圧は、照明器具３が照明する照明エリア１６の照度と相関している。すなわち、照度入力部１９は、照明エリア１６の照度を入力するものである。
【００５７】
照明エリア１６の照度は、照明器具３が照明する照射光による照度に、本来、照明エリア１６を照明するものでない他の照明器具からの照射光や太陽光などからなる外光による照度が加算されている。
【００５８】
外光レベル算出部２０は、照明制御装置５へ商用交流電源Ｖｓが投入された直後に、制御部３１を介して蛍光ランプ１７を付勢させて照明エリア１６の外光による照度を算出するものである。例えば、蛍光ランプ１７を異なる調光率例えば５０％、１００％で点灯させ、照度センサ４から照度入力部１９に入力される照度値を演算することにより、外光による照度が算出される。すなわち、異なる調光率の間で照度値が比例するものであれば、一次方程式Ｙ＝ａＸ＋Ｃ（ここで、Ｙは照度、Ｘは調光率を示す。）において、調光率５０％、１００％に対する照度値を得ることにより、定数ａ，Ｃが容易に算出され、外光による照度Ｃが求められる。そして、外光による照度Ｃが求められる際、蛍光ランプ１７が消灯されないので、人に対する違和感や不快感等が防止される。
【００５９】
目標照度設定部２１は、照明制御装置５の目標照度設定手段を構成し、照明器具３が照明する照明エリア１６の目標照度を設定するものである。すなわち、目標照度設定部２１は、外光レベル算出部２０により算出された照明エリア１６の外光による照度が予め設定された基準値以下のときに、制御部３１を介して蛍光ランプ１７を予め設定された第１の基準調光率で点灯させて、このときに照度センサ４が検出した照明エリア１６の照度（検出値）を目標照度に設定するように構成されている。そして、この設定された目標照度は、制御部３１の制御によって記憶部２６に格納される。ここで、第１の基準調光率は、通常、７０％に設定されている。すなわち、蛍光ランプ１７は、点灯時間が経過するにしたがい光束維持率が低下していくので、当初、調光率７０％のときの照度で使用可能に設計されている。そして、点灯時間の経過とともに調光率が上昇される使用方法が一般的である。また、外光による照度の基準値は、適宜設定された照度値であればよく、例えば照明器具３による照度（１００％）の１５％の照度値に設定されている。
【００６０】
目標照度は、蛍光ランプ１７を第１の基準調光率で点灯させたときの照明エリア１６の照度であり、照明器具３の照射光による照度と外光による照度との合計である。したがって、夜間など、外光による照度が低いときに目標照度が設定されるようにすることが好ましい。
【００６１】
そして、目標照度設定部２１は、外光レベル算出部２０により算出された照明エリア１６の外光による照度が予め設定された基準値を超えるときには、照明エリア１６の照度を設定しない（非設定する）ように構成されている。上述したように、目標照度は、蛍光ランプ１７を第１の基準調光率で点灯させたときの照明エリア１６の照度に設定され、照明器具３の照射光による照度と外光による照度との合計であるので、外光による照度が大きいときに目標照度が設定されると、外光が弱くなって外光による照度が低くなったときに、蛍光ランプ１７は第１の基準調光率を大きく上回る調光率で点灯されることになる。この結果、省エネ効果が低くなる。したがって、外光による照度が基準値を超えるときには、照明エリア１６の照度を設定しないものである。
【００６２】
そして、目標照度設定部２１は、目標照度の設定信号である外部信号により、照度センサ４から照度入力部１９に入力されている照度値を強制的に目標照度に設定させるように構成されている。この外部信号は、ワイヤレス送信機１８からセンサ装置２の受信素子１１に向かって送信され、ワイヤレス受信部２２を介して制御部３１に伝送される。また、外部信号は、図示しない調光器やスイッチ等の操作により図示しない伝送線から外部信号入力部２４に入力され、外部信号入力部２４から制御部３１に伝送される。制御部３１は、当該外部信号が入力されると、目標照度設定部２１に照度入力部１９に入力されている照度値を強制的に目標照度に設定させるものである。
【００６３】
また、目標照度設定部２１は、目標照度の解除信号である外部信号により、記憶部２６に記憶されている目標照度を強制的に消去させ、目標照度を解除するように構成されている。この外部信号もワイヤレス受信部２２または外部信号入力部２４に入力されて制御部３１に伝送される。制御部３１は、当該外部信号が入力されると、目標照度設定部２１に目標照度を強制的に解除させるものである。
【００６４】
ワイヤレス受信部２２は、ワイヤレス送信機１８から送信されたオンオフ制御信号や調光制御信号などの照明制御信号および目標照度の設定信号や解除信号などの外部信号を入力して制御部３１に伝送するように構成されている。
【００６５】
ワイヤレス送信部２３は、制御部３１から送出された返信信号を送信用ＬＥＤ１２からワイヤレス送信機１８に向かって送信させるように構成されている。返信信号は、例えば目標照度が非設定である旨を示す信号である。このとき、ワイヤレス送信部２３は、目標照度が非設定である旨をワイヤレス送信機１８へ返信する返信手段を構成している。
【００６６】
外部信号入力部２４は、例えば壁スイッチや調光器からのオンオフ制御信号や調光制御信号あるいは目標照度の設定信号または解除信号などの外部信号を入力して、制御部３１に伝送するように構成されている。そして、例えば外部信号入力部２４にオンオフ制御信号が入力されると、制御部３１は、照明制御信号を伝送部２７から伝送線３２を介して照明器具３に伝送させる。
【００６７】
人体検出部２５は、センサ装置２の人感センサ１０に接続され、人感センサ１０が検出した人体の検出信号を制御部３１に伝送するように構成されている。制御部３１は、人体検出部２５から人体の検出信号を入力すると、蛍光ランプ１７を点灯させる照明制御信号を伝送部２７から伝送線３２を介して照明器具３に伝送させる。
【００６８】
記憶部２６は、目標照度設定部２１により設定された目標照度、予め設定された第１および第２の基準調光率、予め設定された基準値、点灯装置１５の調光下限値などの諸データが記憶される。
【００６９】
伝送部２７は、外部信号入力部２４に入力されたオンオフ制御信号や調光制御信号などの照明制御信号、ワイヤレス送信器１８からワイヤレス受信部２３に入力された照明制御信号などの他、制御部３１により演算生成された調光信号を照明器具３に信号線３２を介して伝送するように構成されている。
【００７０】
表示部２８は、センサ装置２の表示用ＬＥＤ１３に接続され、制御部３１の制御により表示用ＬＥＤ１３を点灯または消灯させるように構成されている。すなわち、制御部３１は、目標照度設定部２１により目標照度が設定され、目標照度が記憶部２６に格納されているときに表示用ＬＥＤ１３を点灯させる制御信号を表示部２８に送出し、目標照度が非設定であり、目標照度が記憶部２６に格納されていないときに表示用ＬＥＤ１３を消灯させる制御信号を表示部２８に送出する。表示部２８および表示用ＬＥＤ１３は、目標照度が非設定である旨を表示する表示手段（第２の表示手段）を構成している。
【００７１】
第１の基準調光率の切換え部２９は、照明制御装置５に設けられているＤＩＰスイッチ（図示しない。）のスイッチ操作またはワイヤレス送信機１８からの設定信号に応じて、第１の基準調光率を切り換えるものである。通常、第１の基準調光率は、蛍光ランプ１７の保守率を勘案して７０％に設定されているが、クリーンルームなどの器具汚れの光束低下のない場所では８０％、高周波点灯器具にリニューアルする場所では５０％に選択するものである。切り換えられた第１の基準調光率は、制御部３１を介して記憶部２６に記憶されている第１の基準調光率に上書きされる。
【００７２】
電源部３０は、商用交流電源Ｖｓに接続され、交流電圧を直流電圧に変換すると共に、所定の電圧値に調整して、制御部３１やその他の各構成部に駆動電源を供給するように構成されている。
【００７３】
制御部３１は、ＣＰＵ、ＲＡＭおよびプログラムが格納されたＲＯＭなどを具備している。そして、目標照度設定部２１により照明エリア１６の目標照度が設定されているときに、照明エリア１６の照度が目標照度となるように照度センサ４の出力電圧（検出値）に応じて蛍光ランプ１７の調光率を制御し、照明エリア１６の目標照度が設定されていないときに、蛍光ランプ１７を第２の基準調光率７０％で点灯させるように構成されている。すなわち、蛍光ランプ１７の調光率に応じた調光信号例えばＰＷＭ調光信号を演算生成して、伝送部２７を介して照明器具３の点灯装置１５に伝送する。
【００７４】
そして、制御部３１は、電源部３０に商用交流電源Ｖｓが投入された時に、まず、記憶部２６にアクセスして記憶部２６に目標照度が格納されているか否かを判別するように構成されている。すなわち、目標照度の設定の有無を判別する。そして、目標照度が設定されていると判別したときには、照明エリア１６の照度が目標照度となるように照度センサ４の検出値に応じて蛍光ランプ１７の調光率を制御する。そして、目標照度が設定されていないと判別したときには、外光レベル算出部２０および目標照度設定部２１の動作後、目標設定の有無に基づいて蛍光ランプ１７の調光率を制御する。すなわち、外光レベル算出部２０および目標照度設定部２１の動作後、目標照度設定部２１により照明エリア１６の目標照度が設定されると、照明エリア１６の照度が目標照度となるように蛍光ランプ１７の調光率を制御し、照明エリア１６の目標照度が設定されないと、蛍光ランプ１７を第２の基準調光率例えば７０％で点灯させるように制御する。
【００７５】
また、制御部３１は、目標照度の設定の有無を表示用ＬＥＤ１３に表示させるために表示部２８を制御するなど、上述したように、各構成部の制御を行うように構成されている。
【００７６】
なお、照明制御装置５および照度センサ４は、図２に示すセンサ装置２のように一体的である必要はなく、それぞれ別体に構成されていてもよい。
【００７７】
そして、照明器具３は、図１に示すように、照明負荷としての蛍光ランプ１７が配設されていると共に、内部に蛍光ランプ１７を調光点灯させる点灯装置１５を配設している。そして、複数の照明器具３が天井面６に配設されており、複数の照明器具３による照明により所定の照明エリア１６が形成されている。
【００７８】
点灯装置１５は、高周波点灯装置であり、照明制御装置５から伝送された調光信号例えばＰＷＭ調光信号に応じて蛍光ランプ１７を調光点灯させる。すなわち、蛍光ランプ１７は、照明制御装置５により光出力が制御される。この光出力の制御により、照明エリア１６の照度が変化する。
【００７９】
以下、照明制御装置５の動作について、図４に示すフロー図にしたがい説明する。
【００８０】
壁スイッチ等がオン（電源ＯＮ）されると、電源部３０に商用交流電源Ｖｓより交流電圧が供給され、照明制御装置５が動作する（ステップＳ１）。すると、制御部３１は、記憶部２６から目標照度を読み出すようにする。ここで、記憶部２６に目標照度が格納されていると、記憶部２６から目標照度を読み出すことができ、記憶部２６に目標照度が格納されていないと、記憶部２６から目標照度を読み出すことができない。すなわち、制御部３１は、商用交流電源Ｖｓの投入時に目標照度の設定の有無の判別を行う（ステップＳ２）。
【００８１】
記憶部２６に目標照度が格納されて目標照度の設定が行われていると、制御部３１は、照明エリア１６の照度が目標照度となるように蛍光ランプ１７の調光率を制御する。これにより、照明エリア１６の照度は、外光が変化しても、目標照度に一定制御される（ステップＳ１４）。この一定制御は、目標照度の解除が行われない限り（ステップＳ１５）、継続される。
【００８２】
記憶部２６に目標照度が格納されていなく、目標照度の設定が行われていないと、制御部３１は、第１の調光率例えば５０％で蛍光ランプ１７を点灯させる調光信号例えばＰＷＭ調光信号を演算生成して伝送部２７から照明器具３の点灯装置１５に伝送する。これにより、点灯装置１５は、第１の調光率５０％で蛍光ランプ１７を点灯させ、照明器具３により照明エリア１６が照明される（ステップＳ３）。
【００８３】
そして、照明エリア１６からの反射光により、照度センサ４が照明エリア１６の照度を検出して照度入力部１９に入力させる。そして、この照度値は、照度入力部１９から制御部３１に伝送される。すなわち、第１の調光率５０％における照明エリア１６の第１の照度が読み取られる（ステップＳ４）。
【００８４】
制御部３１は、調光率（第１の調光率５０％）に対する照度センサ４からの出力電圧（検出値）の大小を判断する。すなわち、ゲイン調整の要求の有無を判断する（ステップＳ５）。そして、照明エリア１６の照度変化に対して照度センサ４からの出力電圧の変化が大きいまたは小さいと判断すると、増幅率の再設定などのゲイン調整を行い、照明エリア１６の照度変化に対して照度センサ４からの出力電圧が最適に変化するようにする（ステップＳ６）。そして、ゲイン調整が行われると、ステップＳ４に戻り、再び第１の調光率５０％における照明エリア１６の第１の照度が読み取られ、制御部３１に伝送される。
【００８５】
ゲイン調整の要求の有無の判断（ステップＳ５）、ゲイン調整（ステップＳ６）が行われて、制御部３１に第１の照度が入力されると、制御部３１は、第２の調光率例えば１００％で蛍光ランプ１７を点灯させる調光信号を演算生成して伝送部２７から照明器具３の点灯装置１５に伝送する。これにより、点灯装置１５は、第２の調光率１００％で蛍光ランプ１７を点灯させ、照明器具３により照明エリア１６が照明される（ステップＳ７）。
【００８６】
そして、照度センサ４および照度入力部１９により、第２の調光率１００％における照明エリア１６の第２の照度が読み取られ、制御部３１に伝送される（ステップＳ８）。そして、制御部３１は、第１および第２の調光率と共に、第１および第２の照度を外光レベル算出部２０に送出する。
【００８７】
外光レベル算出部２０は、第１および第２の調光率に対する第１および第２の照度値を演算して、照明エリア１６の外光による照度を算出し、目標照度設定部２１に送出する（ステップＳ９）。
【００８８】
目標照度設定部２１は、照明エリア１６の外光による照度を予め設定された基準値と比較する（ステップＳ１０）。基準値は、記憶部２６に格納されており、制御部３１を介して読み出される。また、基準値は、蛍光ランプ１７を調光率１００％で点灯させたときの照明器具３のみによる照明エリア１６の照度の例えば１５％に設定されている。
【００８９】
目標照度設定部２１は、照明エリア１６の外光による照度が基準値以下のときに、制御部３１を介して蛍光ランプ１７を予め設定された第１の基準調光率７０％で点灯させる。すなわち、制御部３１は、記憶部２６に格納されている第１の基準調光率７０％を読み出して、この第１の基準調光率７０％に対する調光信号を演算生成して伝送部２７から照明器具３の点灯装置１５に伝送する。点灯装置１５は、第１の基準調光率７０％で蛍光ランプ１７を点灯させ、照明器具３により照明エリア１６が照明される（ステップＳ１１）。
【００９０】
そして、照度センサ４および照度入力部１９により、第１の基準調光率７０％における照明エリア１６の照度が読み取られ、制御部３１に伝送される（ステップＳ１２）。目標照度設定部２１は、制御部３１を介して照明エリア１６の照度を記憶部２６に格納させ、これにより目標照度が設定される（ステップＳ１３）。目標照度は、第１の基準調光率７０％で蛍光ランプ１７を点灯させたときの照明エリア１６の照明器具３による照度および外光による照度の合計となっている。
【００９１】
目標照度が設定されると、以後、制御部３１は、蛍光ランプ１７の調光率を制御して、照明エリア１６の照度が目標照度となるように一定制御し（ステップＳ１４）、目標照度の解除が行われない限り、この一定制御を継続する（ステップＳ１５）。
【００９２】
一方、ステップＳ１０において、目標照度設定部２１は、照明エリア１６の外光による照度が基準値を超えるときには、目標照度を設定しないものである。そして、制御部３１は、以後、蛍光ランプ１７を第２の基準調光率７０％で点灯させるように制御する（ステップＳ１７）。また、制御部３１は、表示部２８にセンサ装置２の表示用ＬＥＤ１３を消灯させる制御信号を送出して表示用ＬＥＤ１３を消灯させる（ステップＳ１８）。表示用ＬＥＤ１３の消灯により、目標照度が非設定であることが視認され、確認される。
【００９３】
目標照度が非設定であるときの制御部３１の第２の基準調光率７０％による制御は、目標照度の強制設定の要求がない限り（ステップＳ１９）継続される。このとき、照明エリア１６の照度は、第２の基準調光率７０％で蛍光ランプ１７が点灯しているときの照明器具３による照度および外光による照度の合計であり、外光に応じて変化する。
【００９４】
そして、ワイヤレス送信機１８から目標照度の設定信号（外部信号）が送出され、センサ装置２の受信素子１１からワイヤレス受信部２２を介して制御部３１に入力されると、制御部３１は、目標照度の強制設定の要求が有ると判断し（ステップＳ１９）、目標照度設定部２１に目標照度を設定可能にさせる。ここで、ワイヤレス送信機１８から任意の調光制御信号が送信されると、制御部３１は、当該調光制御信号に応じた調光率の調光信号を演算生成して伝送部２７から照明器具３の点灯装置１５に伝送する。点灯装置１５は、任意に設定された調光率で蛍光ランプ１７を点灯させ、照明器具３により照明エリア１６が照明される（ステップＳ２０）。そして、ワイヤレス送信機１８から目標照度の設定の確定信号（外部信号）を送信すると、照度センサ４および照度入力部１９により、任意に設定された調光率における照明エリア１６の照度が読み取られて制御部３１に伝送され（ステップＳ１２）、目標照度設定部２１により目標照度が設定される（ステップＳ１３）。ここで、任意に設定される調光率は、照明エリア１６の照度を最適にすることができる蛍光ランプ１７の調光率とすることができる。
【００９５】
このように、照明エリア１６の任意の照度を目標照度に強制的に設定すると、以後、この目標照度で照明エリア１６の照度が一定制御される（ステップＳ１４）。また、この目標照度の強制設定は、調光器やスイッチ等から外部信号入力部２４に外部信号を入力しても同様に実行される。
【００９６】
そして、目標照度が設定されているときにおいて、目標照度を再設定したいとき、照明エリア１６を任意の照度で一定制御したいとき、あるいは、外光によらず蛍光ランプ１７を第２の基準調光率７０％で点灯させたいときは、まず、目標照度の解除の要求を行う（ステップＳ１５）。すなわち、ワイヤレス送信機１８から目標照度の解除信号（外部信号）を送信すると、この解除信号は、センサ装置２の受信素子１１およびワイヤレス受信部２２を介して制御部３１に入力される。制御部３１は、目標照度の解除の要求が有ると判断し（ステップＳ１５）、目標照度設定部２１に目標照度を解除させて、記憶部２６から目標照度を消去する。これにより、目標照度の解除が行われる（ステップＳ１６）。
【００９７】
目標照度の解除が行われると、制御部３１は、蛍光ランプ１７を第２の基準調光率７０％で点灯させ（ステップＳ１７）、以後、ステップＳ１７〜ステップＳ１９またはステップＳ１７〜ステップＳ１６の制御が行われる。このときに、目標照度の再設定が可能である。また、目標照度の解除は、調光器やスイッチ等から外部信号入力部２４に外部信号を入力しても同様に実行される。
【００９８】
目標照度の再設定は、照明エリア１６内に例えば机やＯＡ機器等が搬入され、照明エリア１６の反射率が変化して照明エリア１６からの反射光が変化したときなど、照明エリア１６内の環境、雰囲気等が変化したとき、夜間など外光による照度が低レベルになり、主として照明器具３からの照射光による照度とするとき、あるいは任意の照度とするときなどに行われる。
【００９９】
なお、目標照度の強制設定は、目標照度の解除（ステップＳ１６）が行われた後でなく、目標照度が設定されているときに行うようにしていてもよい。すなわち、一定制御（ステップＳ１４）および目標照度の解除の要求の判別（ステップＳ１５）の間において、目標照度の強制設定の要求の判別を行い、その要求があるとき、調光率の変化（ステップＳ２０）に移行するようにしてもよい。強制設定される目標照度は、記憶部２６の目標照度に上書きされて記憶される。
【０１００】
上述したように、照明装置１は、商用交流電源Ｖｓの投入により、自動的に目標照度が設定されるので、省力化が図れる。そして、照明エリア１６は、一定の目標照度または外光の大きさによらず蛍光ランプ１７を予め設定された第２の基準調光率７０％で点灯させたときの照度に制御される。また、目標照度の解除を行うことができると共に、目標照度を任意の照度に強制的に設定することも可能である。
【０１０１】
そして、第１の基準調光率を選択的に切り換える第１の基準調光率の切換え部２９を具備しているので、第１の基準調光率を選択的に切り換えることにより、照明エリア１６の環境に応じた目標照度が設定される。
【０１０２】
次に、本発明の第２の実施形態について述べる。
【０１０３】
図５〜図７は、本発明の第２の実施形態を示し、図５は照明制御装置のブロック図、図６は照明制御装置の動作のフロー図、図７は図６の続きのフロー図である。なお、図１〜図４と同一部分には同一符号を付して説明は省略する。
【０１０４】
図５に示す照明制御装置３３は、図３の照明制御装置５において、目標照度解除手段としての目標照度解除部３４を具備しているものであり、表示部２８およびセンサ装置２の表示用ＬＥＤ１３は、第２の表示手段に加えて第１の表示手段も構成しているものである。
【０１０５】
目標照度解除部３４は、目標照度設定部２１により自動的に設定された目標照度を外部信号によらずに解除させるものである。すなわち、目標照度は、照明エリア１６の外光による照度が基準値以下のときに蛍光ランプ１７を第１の基準調光率７０％で点灯させたときに設定され、蛍光ランプ１７を第１の基準調光率７０％で点灯させたときの照明器具３による照度に基準値以下の外光による照度が加算された照度値である。そして、目標照度解除部３４は、予め設定された所定期間（第１の所定期間）にわたり、蛍光ランプ１７が第１の基準調光率７０％で点灯されていないときに、記憶部２６に記憶させている目標照度を消去させて目標照度を解除するものである。
【０１０６】
照明エリア１６内は、制御部３１により目標照度となるように一定制御されている。すなわち、制御部３１は、外光の大きさ（外光による照度）が変化するにしたがい蛍光ランプ１７の調光率を変化させている。そして、目標照度は、蛍光ランプ１７を第１の基準調光率７０％で点灯させたときの照明器具３による照度に基準値以下の外光による照度が加算された照度値であり、外光は常に変化しているので、照明エリア１６内の反射光（反射率）が変化しない限り、少なくとも第１の所定期間例えば１００時間内には、蛍光ランプ１７が第１の基準調光率７０％で点灯されることが再現されるものである。
【０１０７】
蛍光ランプ１７が第１の基準調光率７０％で点灯されることが再現されないときは、照明エリア１６内の反射光（反射率）が変化しているときであり、目標照度設定部２１による目標照度の設定後、照明エリア１６内に例えば机やＯＡ機器などの機材が搬入されたときである。ここで、照明エリア１６内の反射光が変化すると、照度センサ４に入射される反射光が変化し、照度センサ４の検出値が変化する。そして、制御部３１は、当該照度センサ４の検出値に応じて蛍光ランプ１７の調光率を変化させるので、照明エリア１６の照度は、実際の目標照度でなくなってしまう。したがって、照明エリア１６内を実際の目標照度で照明させるには、再度、目標照度の設定をする必要があり、このため、目標照度解除部３４により目標照度を解除させ、電源Ｖｓが再投入された時に、目標照度設定部２１により目標照度を再設定させるものである。
【０１０８】
以下、照明制御装置３３の動作について、図６および図７に示すフロー図にしたがい説明する。
【０１０９】
図６に示す照明制御装置３３の動作は、図４に示す照明制御装置５の動作において、目標照度の設定（ステップＳ１３）および一定制御（ステップＳ１４）間に第１および第２の期間Ｔ１，Ｔ２のリセット（ステップＳ２１）が挿入され、一定制御（ステップＳ１４）および目標照度の解除の要求（ステップＳ１５）間に図７に示す動作（ステップＳ２２〜ステップＳ３１）が挿入されたものである。第１および第２の期間Ｔ１，Ｔ２のリセット（ステップＳ２１）は、従前の第１の期間Ｔ１の累積時間および第２の期間Ｔ２の累積時間をリセットする（零にする）ものである。ここで、第１の期間Ｔ１は、蛍光ランプ１７が第１の基準調光率７０％で点灯されることが再現される検出期間であり、第１の所定期間例えば１００時間まで計時される。この第１の期間Ｔ１は、前記再現が検出されるとリセットされ、再計時される。また、第２の期間Ｔ２は、第１の期間Ｔ１の再計時が繰り返される期間（第２の所定期間）例えば１０００時間である。
【０１１０】
図７において、まず、目標照度設定部２１により設定された目標照度に対して、照明エリア１６の外光による照度が予め設定された基準値以下のときに蛍光ランプ１７を第１の基準調光率７０％で点灯させて設定された照明エリア１６の目標照度（以下、第１の基準調光率７０％による目標照度という。）であるか否かが判断される（ステップＳ２２）。そして、目標照度が第１の基準調光率７０％による目標照度でなく、強制設定された目標照度であるときは、目標照度の解除の要求の判別（ステップＳ１５）に移行する。
【０１１１】
そして、目標照度が第１の基準調光率７０％による目標照度であると、第１の期間Ｔ１の計時がなされ（ステップＳ２３）、第１の期間Ｔ１の動作表示がなされる（ステップＳ２４）。すなわち、制御部３１は、センサ装置２の表示用ＬＥＤ１３を点滅させる制御信号を表示部２８に送出する。ここで、表示部２８は、目標照度が設定されているので、表示用ＬＥＤ１３を点灯させているが、制御部３１より前記点滅の制御信号を受信すると、所定間隔（例えば１０秒）ごとに所定時間（例えば３秒）、表示用ＬＥＤ１３を点滅させる。この表示用ＬＥＤ１３の点滅を視認することにより、第１の期間Ｔ１が計時され、動作していることが確認される。また、第２の期間Ｔ２の計時がなされる（ステップＳ２５）。第１の期間Ｔ１および第２の期間Ｔ２は、リセットされない限り、累積計時される。
【０１１２】
そして、第２の期間Ｔ２が第２の所定期間（例えば１０００時間）を超えているか否かが判断される。第２の期間Ｔ２が第２の所定期間を超えていると、目標照度の解除の要求の判別（ステップＳ１５）に移行し、第２の期間Ｔ２が第２の所定期間を超えていないと、目標照度の強制設定の要求の判別（ステップＳ２７）に移行する。
【０１１３】
ステップＳ２７において、目標照度の強制設定の要求が有ると、ステップＳ２０に移行し、ワイヤレス送信機１８などにより蛍光ランプ１７の調光率が任意に設定された後、目標照度が設定される（ステップＳ１３）。そして、目標照度の強制設定の要求が無いと、目標照度の解除の要求の判別（ステップＳ２８）に移行する。
【０１１４】
ステップＳ２８において、目標照度の解除の要求が有ると、制御部３１は、記憶部２６から目標照度を消去して、目標照度の解除を行う（ステップＳ１６）。一方、目標照度の解除の要求が無いと、蛍光ランプ１７の第１の基準調光率７０％による点灯の再現の有無が判断される（ステップＳ２９）。
【０１１５】
蛍光ランプ１７の第１の基準調光率７０％による点灯が再現されると、第１の期間Ｔ１の累積時間がリセットされ（ステップＳ３０）、ステップＳ２３に戻って再び第１の期間Ｔ１の計時が行われる。
【０１１６】
蛍光ランプ１７が第１の基準調光率７０％によって点灯されることの再現は、照明エリア１６内に机やＯＡ機器などの機材が搬入されず、照明エリア１６内の反射光（反射率）が大概変化していないことを意味する。そして、この再現がなされたとき、第１の期間Ｔ１をリセットすることにより（ステップＳ３０）、照明エリア１６内の反射光の変化を継続して監視することができる。この監視は、第２の所定期間（例えば１０００時間）にわたり行われる（ステップＳ２６）。
【０１１７】
そして、ステップＳ２９において前記再現がされないと、第１の期間Ｔ１が第１の所定期間例えば１００時間を超えているか否かが判断される（ステップＳ３１）。そして、第１の期間Ｔ１が第１の所定期間を超えていないと、ステップＳ２３に戻り第１の期間Ｔ１が継続して計時される。すなわち、蛍光ランプ１７が第１の基準調光率７０％で点灯されることの再現の検出は、第１の所定期間（例えば１００時間）にわたり行われる。
【０１１８】
そして、第１の期間Ｔ１が第１の所定期間を超えていると、目標照度解除部３４は、制御部３１に目標照度の解除を行わせる（ステップＳ１６）。すなわち、第１の所定期間（例えば１００時間）にわたり、蛍光ランプ１７が第１の基準調光率７０％で点灯されることが再現されていないと、目標照度解除部３４により目標照度が解除されるものである。
【０１１９】
蛍光ランプ１７が第１の基準調光率７０％で点灯されることが再現されないときは、大概照明エリア１６内の反射光（反射率）が変化している場合であり、第１の所定期間（例えば１００時間）内において、例えば照明エリア１６内に机やＯＡ機器などの機材が搬入されていることを示している。そして、設定された目標照度は、基準値以下の外光による照度と、蛍光ランプ１７を第１の基準調光率７０％で点灯させたときの照明器具３による照度の合計であるので、蛍光ランプ１７が第１の基準調光率７０％で点灯されないと、照明エリア１６内は実際の目標照度で照明されなくなる。この実際の目標照度で照明されなくなることを解消するために、目標照度解除部３４により目標照度を解除させるものである。
【０１２０】
目標照度が解除された後、蛍光ランプ１７は、第２の基準調光率７０％で点灯される。そして、電源Ｖｓが再投入された時、外光レベル算出部２０および目標照度設定部２１の動作により、自動的に目標照度が再設定される。
【０１２１】
上述したように、外光レベル算出部２０および目標照度設定部２１の動作により、目標照度が設定された後、照明エリア１６内に机やＯＡ機器などの機材が搬入されて照明エリア１６内の反射光（反射率）が変化すると、第１の所定期間（例えば１００時間）経過後に目標照度解除部３４により目標照度が解除される。そして、電源Ｖｓが再投入された時に、外光レベル算出部２０および目標照度設定部２１により照明エリア１６の目標照度が自動的に再設定されるので、省力化が図れる。
【０１２２】
なお、第２の所定期間（１０００時間）の経過後は、目標照度解除部３４により自動的に目標照度を解除できなくなる。第２の所定期間の経過後、照明エリア１６内に机やＯＡ機器などの機材が搬入されて照明エリア１６内の反射光（反射率）が変化したときは、例えばワイヤレス送信機１８から目標照度の解除信号（外部信号）を送信し、目標照度を解除するようにすればよい。以後、電源Ｖｓの再投入により、目標照度が自動的に再設定可能である。
【０１２３】
次に、本発明の第３の実施形態について述べる。
【０１２４】
図８は、本発明の第３の実施形態を示す照明器具の斜視図である。なお、図１〜図２と同一部分には同一符号を付して説明は省略する。
【０１２５】
図８に示す照明器具３５は、埋込形照明器具であり、図１の照明装置１において、照明エリア１６を照明する複数の照明器具３のうちのひとつが一端側に略箱状のセンサ装置３６を配設しているものである。センサ装置３６は、図２に示すセンサ装置２と同様に構成され、内部に照度センサ４および照明制御装置５（図示しない。）等を配設している。
【０１２６】
照明器具３５を天井面６に埋設することにより、照度センサ４および照明制御装置５（センサ装置３６）を設置する手間が省略できるので、省力化が図れる。
【０１２７】
【発明の効果】請求項１の発明によれば、照明エリアの外光による照度が予め設定された基準値以下のときに目標照度が自動的に設定されるので、目標照度の設定に人手を要せず省力化することができる。
【０１２８】
請求項２の発明によれば、照明エリア内の反射光が変化したときに、目標照度解除手段により自動的に目標照度が解除され、電源の再投入時に、外光レベル算出手段および目標照度設定手段の動作により照明エリアの目標照度を自動的に再設定することができる。
【０１２９】
請求項３の発明によれば、照明負荷が第１の基準調光率で点灯されることが再現されると、所定期間の計時がリセットされるので、継続して、照明エリア内の反射光の変化を監視することができる。
【０１３０】
請求項４の発明によれば、第１の表示手段を目視することにより、照明エリア内の反射光の変化が監視されていることを確認することができる。
【０１３１】
請求項５の発明によれば、電源の投入時に照明エリアの目標照度の設定の有無が判別され、目標照度が設定されていないときに外光レベル算出手段および目標照度設定手段による目標照度の設定または非設定が行われるので、自動的に目標照度の設定を行わせることができる。
【０１３２】
請求項６の発明によれば、外光レベル算出手段は、制御手段に対して照明負荷を２つ以上の異なる調光率で点灯させ、このときの照度入力手段に入力される照明エリアの照度を演算して照明エリアの外光による照度を算出するので、照明エリアの外光による照度の算出時において、照明負荷が消灯されることによる違和感や不快感を防止することができる。
【０１３３】
請求項７の発明によれば、第１の基準調光率を選択的に切り換えることにより、照明エリアの環境に応じた目標照度を最適に設定することができる。
【０１３４】
請求項８の発明によれば、目標照度設定手段は、外部信号により照度入力手段に入力される照度値を目標照度に設定可能に構成されているので、照明負荷の調光率を変化させて照明エリアの照度を最適にすることにより、最適な目標照度に設定することができる。また、目標照度設定手段は、外部信号により目標照度を解除可能に構成されているので、外部信号により設定された目標照度を解除することにより、電源の再投入により、自動的に、または外部信号により、新たに目標照度を設定することができる。
【０１３５】
請求項９の発明によれば、目標照度が非設定である旨を表示する第２の表示手段または目標照度が非設定である旨をワイヤレス送信機へ返信する返信手段により、目標照度が設定されていない状態であり、照明負荷が予め設定された第２の基準調光率で点灯されていることを認識することができる。
【０１３６】
請求項１０の発明によれば、電源の投入により自動的に、または外部信号により強制的に照明エリアの目標照度が設定可能であり、この目標照度によって照明エリアが一定に照明される照明装置を提供することができる。
【０１３７】
請求項１１の発明によれば、照明器具は、照度センサおよび照明制御装置が配設されているので、天井等の造営物に照度センサおよび照明制御装置を設置する手間が不要であり、省力化を図ることができる。
【図面の簡単な説明】
【図１】本発明の第１の実施形態を示す照明装置の概略構成図。
【図２】同じく、センサ装置の斜視図。
【図３】同じく、照明制御装置のブロック図。
【図４】同じく、照明制御装置の動作のフロー図。
【図５】本発明の第２の実施形態を示す照明制御装置のブロック図。
【図６】同じく、照明制御装置の動作のフロー図。
【図７】同じく、図６の続きのフロー図。
【図８】本発明の第３の実施形態を示す照明器具の斜視図。
【符号の説明】
１…照明装置、３，３５…照明器具、４…照度センサ、５，３３…照明制御装置、１２…返信手段としての送信用ＬＥＤ、１３…第１および第２の表示手段としての表示用ＬＥＤ、１９…照度入力手段としての照度入力部、２０…外光レベル算出手段としての外光レベル算出部、２１…目標照度設定手段としての目標照度設定部、２３…返信手段としてのワイヤレス送信部、２８…第１および第２の表示手段としての表示部、２９…切換え手段としての第１の基準調光率の切換え部、３１…制御手段としての制御部、３４…目標照度解除手段としての目標照度解除部
【図１】
2004228051.tif 000003
【図２】
2004228051.tif 000004
【図３】
2004228051.tif 000005
【図４】
2004228051.tif 000006
【図５】
2004228051.tif 000007
【図６】
2004228051.tif 000008
【図７】
2004228051.tif 000009
【図８】
2004228051.tif 000010